(57)【要約】【課題】データの誤送信を防ぎながら、前の送信先と同じ送信先に別のデータを送信するに際しては送信先の指定又は入力操作の手間を省くことが可能なデータ送信装置を提供する。【解決手段】データ送信装置（デジタル複合機１で例示）は、指定された送信先情報が示す送信先（例えばインターネットファクシミリ装置２、外部ＰＣ３、ファクシミリ装置４、ＬＡＮ内のＰＣ５のいずれか）にネットワーク経由でデータを送信する。デジタル複合機１は、指定された送信先情報を保持する保持手段と、送信先情報に基づく上述のデータの送信が完了した後も保持手段で送信先情報を保持させ、引き続き同じ送信先に対して別のデータの送信が可能な状態で待機するよう制御する制御手段とを備える。制御手段は、送信先情報に基づくデータの送信の内容に基づいて、保持手段による送信先情報の保持を許可もしくは禁止する。【選択図】図１
2008131259.tif 000002
【特許請求の範囲】
【請求項１】
指定された送信先情報が示す送信先にネットワーク経由でデータを送信するデータ送信装置において、前記指定された送信先情報を保持する保持手段と、前記送信先情報に基づく前記データの送信が完了した後も前記保持手段で該送信先情報を保持させ、引き続き同じ送信先に対して別のデータの送信が可能な状態で待機するよう制御する制御手段とを備え、該制御手段は、前記送信先情報に基づく前記データの送信の内容に基づいて、前記保持手段による前記送信先情報の保持を許可もしくは禁止することを特徴とするデータ送信装置。
【請求項２】
前記制御手段は、前記データのデータ形式に基づいて、前記保持手段による前記送信先情報の保持を禁止することを特徴とする請求項１に記載のデータ送信装置。
【請求項３】
前記制御手段は、前記データがページ単位になっていることを条件に、前記保持手段による前記送信先情報の保持を禁止することを特徴とする請求項１に記載のデータ送信装置。
【請求項４】
当該データ送信装置は、データ送信形態がそれぞれ異なる複数の伝送経路でデータ送信可能とし、前記制御手段は、前記データの伝送経路に基づいて、前記保持手段による前記送信先情報の保持を禁止することを特徴とする請求項１に記載のデータ送信装置。
【請求項５】
前記複数の伝送経路は、ページ単位でデータ送信する伝送経路と、複数ページを１ファイルとしてデータ送信する伝送経路とからなることを特徴とする請求項４に記載のデータ送信装置。
【請求項６】
前記制御手段は、前記ページ単位でデータ送信する伝送経路を用いることを条件に、前記保持手段による前記送信先情報の保持を禁止することを特徴とする請求項５に記載のデータ送信装置。
【請求項７】
前記制御手段は、前記データを送信する前記送信先情報に基づいて、前記保持手段による前記送信先情報の保持を禁止することを特徴とする請求項１に記載のデータ送信装置。
【請求項８】
前記保持手段により前記送信先情報が保持されていることを、利用者に通知する通知手段を備えたことを特徴とする請求項１乃至７のいずれか１項に記載のデータ送信装置。
【請求項９】
前記保持手段により前記送信先情報が保持されている場合、該保持されている送信先情報が示す送信先を前記別のデータに対しても用いるか否かの確認を利用者に求める確認手段を備え、該確認手段により前記送信先を用いるとの確認がとれた場合のみ、新たな送信先の追加を受け付けることを特徴とする請求項１乃至７のいずれか１項に記載のデータ送信装置。
【請求項１０】
請求項１乃至９のいずれか１項に記載のデータ送信装置に組み込むためのプログラムであって、前記制御手段として、前記データ送信装置の内部コンピュータを機能させることを特徴とするプログラム。
【発明の詳細な説明】
【技術分野】
【０００１】
本発明は、データ送信装置及びプログラムに関し、より詳細には、データをネットワーク経由で送信する、例えばファクシミリ装置やメール送信装置等のデータ送信装置、及びその装置に組み込むためのプログラムに関する。
【背景技術】
【０００２】
従来のファクシミリ装置においては、ユーザが送信先を指示（設定）して原稿をセットしスタートキーを押下すると、送信原稿を読み取って得られた原稿画像をページ単位で（１からＮ枚まで順次）送信することができる。このようなファクシミリ送信は、音声回線又はＩＳＤＮ回線を用いたネットワーク経由で行われる。また、その送信先に別の原稿画像を送信したい場合、リダイヤル機能を用いてその送信先を呼び出して実行できる。
【０００３】
別の原稿画像の再送信に関し、特許文献１には、原稿読取手段にセットされた原稿の送信先と画情報蓄積手段の送信先が一致するとき、その一方を送信後、回線を切断することなく他方を引き続き送信するファクシミリ通信方式が開示されている。この方式における処理は、画情報蓄積手段の送信先がセット原稿の送信先と同じである、といった特別な場面に適用されるものである。
【０００４】
また、インターネットプロトコル（ＩＰ）を用いたネットワーク経由でのデータ送信を行う装置も流通している。例えば、読み込んだ画像データを電子メールの添付ファイルとして送信するインターネットファクシミリ装置、読み込んだ画像データをファイル転送プロトコル（ＦＴＰ）で送信するスキャンファイル送信装置、電子メールを送信するメール送信装置などが挙げられる。勿論、データ送信装置には、ＩＰを用いたネットワーク経由に限らず、他のプロトコルに基づいたデータ送信を実行するものも存在する。
【０００５】
これらの装置では、原稿読み取り後のデータであっても、ファイル単位でデータ送信がなされる。例えば、送信先を指示（設定）して原稿をセットしスタートキーを押下すると、送信原稿を読み取って得られた原稿画像をファイル単位で（Ｎ枚の原稿を１つのデータとして）送信している。また、その送信先に別の原稿画像を送信したい場合、リダイヤル機能と同様にその送信先を呼び出して実行できる。
【特許文献１】特開平２−２４６４７１号公報
【発明の開示】
【発明が解決しようとする課題】
【０００６】
しかしながら、従来のファクシミリ装置では、利用者が前の送信先を利用して別のファクシミリデータを送信しようとした場合、リダイヤル機能で前の送信先を呼び出すといった呼出操作（指定操作）が必要となる。
【０００７】
このような入力操作の手間を省くために、回線切断後にも別のファクシミリデータが送信可能なよう前の送信先を保持した状態で待機させるような構成にしておくことも考えられる。しかしながら、このような構成は、特に利用者が入れ替わったときに限らず同じ利用者が使用しているときであっても、保持した前の送信先と次の送信先とが異なる場合の方が多いことから、利用者が気づかずに誤送信してしまう可能性が高いので、現実的ではなく不便である。
【０００８】
また、特許文献１に記載のごときファクシミリ通信方式は、双方の送信先が既に入力してあることを前提に実行できるものであり、それらを比較するため誤送信が生じないものの、喩え後に入力する方でリダイヤル機能によって前の送信先を呼び出したとしても、双方の送信先の入力又は指定操作が必要であることに変わりはなく、手間がかかる。
【０００９】
一方で、従来のインターネットファクシミリ装置をはじめとするファイル単位でのデータ送信を行う他のデータ送信装置においては、１つのファイルとして送信先に受信させたいデータを１つずつ送信しなければならず、手間がかかる。特に、原稿を読み取って送信するような場合には、利用者は受信させたい単位で原稿読み取り・送信先指定・送信開始の操作を実行しなければならないことになる。逆に、送信側で手間を省いて一度に処理すると、受信側（送信者使用のパーソナルコンピュータ（ＰＣ）に送信する場合もある）では、受信したデータを管理したい単位で分割するなどの手間がかかってしまう。
【００１０】
従って、ファイル単位でのデータ送信を行う装置では、別のデータが送信可能なよう前の送信先を保持した状態で待機させるような構成にすることが望ましい。しかしながら、従来のデータ送信装置では、このような構成となっておらず、喩え同じ送信先であっても送信毎に送信先の呼出操作（指定操作）が必要である。
【００１１】
上述のごとき問題は、例えば複合機など、ページ単位及びファイル単位の双方のデータ送信機能を併せもつ従来のデータ送信装置において、特に顕著になる。すなわち、このようなデータ送信装置では、データの誤送信を防ぐことと、前の送信先と同じ送信先に送信する際の送信先指定の手間を省くこととを、両立させることはできない。
【００１２】
本発明は、上述のごとき実情に鑑みてなされたものであり、データの誤送信を防ぎながら、前の送信先と同じ送信先に別のデータを送信するに際しては送信先の指定又は入力操作の手間を省くことが可能なデータ送信装置、及びその装置に組み込むためのプログラムを提供することを、その目的とする。
【課題を解決するための手段】
【００１３】
上記の課題を解決するために、本発明の第１の技術手段は、指定された送信先情報が示す送信先にネットワーク経由でデータを送信するデータ送信装置において、前記指定された送信先情報を保持する保持手段と、前記送信先情報に基づく前記データの送信が完了した後も前記保持手段で該送信先情報を保持させ、引き続き同じ送信先に対して別のデータの送信が可能な状態で待機するよう制御する制御手段とを備え、該制御手段は、前記送信先情報に基づく前記データの送信の内容に基づいて、前記保持手段による前記送信先情報の保持を許可もしくは禁止することを特徴としたものである。
【００１４】
第２の技術手段は、第１の技術手段において、前記制御手段は、前記データのデータ形式に基づいて、前記保持手段による前記送信先情報の保持を禁止することを特徴としたものである。
【００１５】
第３の技術手段は、第１の技術手段において、前記制御手段は、前記データがページ単位になっていることを条件に、前記保持手段による前記送信先情報の保持を禁止することを特徴としたものである。
【００１６】
第４の技術手段は、第１の技術手段において、当該データ送信装置は、データ送信形態がそれぞれ異なる複数の伝送経路でデータ送信可能とし、前記制御手段は、前記データの伝送経路に基づいて、前記保持手段による前記送信先情報の保持を禁止することを特徴としたものである。
【００１７】
第５の技術手段は、第４の技術手段において、前記複数の伝送経路は、ページ単位でデータ送信する伝送経路と、複数ページを１ファイルとしてデータ送信する伝送経路とからなることを特徴としたものである。
【００１８】
第６の技術手段は、第５の技術手段において、前記制御手段は、前記ページ単位でデータ送信する伝送経路を用いることを条件に、前記保持手段による前記送信先情報の保持を禁止することを特徴としたものである。
【００１９】
第７の技術手段は、第１の技術手段において、前記制御手段は、前記データを送信する前記送信先情報に基づいて、前記保持手段による前記送信先情報の保持を禁止することを特徴としたものである。
【００２０】
第８の技術手段は、第１乃至第７のいずれかの技術手段において、前記保持手段により前記送信先情報が保持されていることを、利用者に通知する通知手段を備えたことを特徴としたものである。
【００２１】
第９の技術手段は、第１乃至第７のいずれかの技術手段において、前記保持手段により前記送信先情報が保持されている場合、該保持されている送信先情報が示す送信先を前記別のデータに対しても用いるか否かの確認を利用者に求める確認手段を備え、該確認手段により前記送信先を用いるとの確認がとれた場合のみ、新たな送信先の追加を受け付けることを特徴としたものである。
【００２２】
第１０の技術手段は、第１乃至第９のいずれかの技術手段におけるデータ送信装置に組み込むためのプログラムであって、前記制御手段として、前記データ送信装置の内部コンピュータを機能させることを特徴としたものである。
【発明の効果】
【００２３】
本発明によれば、データ送信装置において、データの誤送信を防ぎながら、前の送信先と同じ送信先に別のデータを送信するに際しては送信先の指定又は入力操作の手間を省くことが可能となる。
【発明を実施するための最良の形態】
【００２４】
本発明に係るデータ送信装置は、利用者（ユーザ）によって事前登録アドレス帳から選択入力されるか或いは直接入力されるなどにより送信先情報が指定（指示）され、そこで指定された送信先情報が示す送信先に、ネットワーク経由でデータを送信する装置である。送信対象のデータとしては、原稿を光学的に読み取るなどして得た画像データだけでなく、テキストデータなどの他種のデータにも適用可能である。
【００２５】
このようなデータ送信装置としては、例えばファクシミリ装置、ファクシミリ機能をもった複合機、電子メール送信機能をもったＰＣや複合機、ファイル転送機能をもったＰＣや複合機など、様々な機器が適用できる。また、ネットワークとしては、ファクシミリ装置に対しては音声回線網やＩＳＤＮ回線網などが該当し、インターネットファクシミリ送信、通常の電子メール送信、ファイル転送などを行う装置に対しては、インターネット回線網、イントラネット回線網、或いはＬＡＮ回線網などがそれに該当する。
【００２６】
図１は、本発明を適用したデジタル複合機の構成例を説明するためのブロック図で、図中、１はデジタル複合機である。以下、本発明に係るデータ送信装置の一例として、デジタル複合機１を挙げて説明するが、他の機器でも同様に適用可能である。ここで例示するデジタル複合機１は、画像形成装置の一例であり、複写機能や印刷機能の他に、ファクシミリ機能、インターネットファクシミリ機能、メール送信機能、ファイル転送機能を兼ね備えたものとする。
【００２７】
デジタル複合機１は、演算を行うＣＰＵ及び演算に伴う一時的な情報を記憶するＲＡＭ等からなる機器制御部１４を備えている。機器制御部１４には、デジタル複合機１を制御するための制御プログラム（後述する本発明に係る制御プログラムも含む）を記憶しているＲＯＭが含まれる。
【００２８】
また、機器制御部１４には、デジタル複合機１が行う処理を管理するための管理情報（アドレス帳をはじめとする各種の制御情報）を記憶するメモリである管理部１７が接続されている。また、機器制御部１４には、記録用紙に記録された画像を読み取って画像データを生成する画像読取部１１が接続される。この画像読取部１１には、原稿台に載置された或いはＡＤＦ（自動原稿送り装置）により送られた原稿の画像を、画像データとして取り込むためのＣＣＤ１１ａと、原稿の有無を検知する原稿検知センサ１１ｂとが設けられる。
【００２９】
また、機器制御部１４には、記録用紙上に画像データを形成する画像形成部１３が接続される。この画像形成部１３には、画像データを一時的に記憶するメモリ１３ａと、メモリ１３ａが記憶した画像データから画像を形成して記録用紙に記録する印字部（ＬＳＵ）１３ｂと、印字部１３ｂで画像形成するための給紙用のトレイ１３ｃ，１３ｄとが設けられる。そして、デジタル複合機１は、画像読取部１１が生成した画像データをメモリ１３ａに一旦記憶させた後、印字部１３ｂで画像を形成することができる。このようにして、デジタル複合機１は複写機として機能する。
【００３０】
また、図１で例示する機器制御部１４には、ファクシミリ通信を行うＦＡＸモデム１８が接続されており、ＦＡＸモデム１８は電話回線網（公衆回線網／音声回線網ともいう）Ｎ３に接続されている。デジタル複合機１は、画像読取部１１が生成した画像データを、ＦＡＸモデム１８に接続された電話回線網Ｎ３を介して他のファクシミリ装置４へファクシミリ通信にて送信することができる。また、デジタル複合機１は、電話回線網Ｎ３を介して他のファクシミリ装置４から送信された画像データをＦＡＸモデム１８で受信し、受信した画像データから画像形成部１３で画像を形成することができる。このようにして、デジタル複合機１はファクシミリ装置として機能する。
【００３１】
また、機器制御部１４には、デジタル複合機１が外部と情報を送受信するための通信部（送受信手段）１５が接続されている。通信部１５は、社内ＬＡＮ等の通信ネットワークＮ１に接続可能であり、通信ネットワークＮ１には１又は複数のＰＣ５が接続可能である。デジタル複合機１が単独で動作している通常の状態では、通信部１５は通信ネットワークＮ１に接続されており、通信ネットワークＮ１を介してＰＣ５との間で情報を交換する。
【００３２】
デジタル複合機１は、画像読取部１１が生成した画像データを通信部１５からＰＣ５へ送信することができる。このようにして、デジタル複合機１はファイル送信機能付きスキャナ装置（ファイル転送装置）として機能する。
【００３３】
機器制御部１４には、ハードディスクドライブ（ＨＤ）１６が接続されている。ＨＤ１６は、画像読取部１１が生成した画像データ等の画像処理に係る画像データを記憶する。デジタル複合機１は、読み取って得た画像データ以外のデータに対するファイル転送装置としても機能する。例えば、ＨＤ１６内に格納されたデータも、通信部１５を介してＰＣ５や後述の外部ＰＣ３へ送信することができる。また、機器制御部１４には消去部１９が接続される。消去部１９は、機器制御部１４による制御に従って、ＨＤ１６に記録保持されているデータを消去する。
【００３４】
また、デジタル複合機１は、ＰＣ５から送信された画像データを通信部１５で受信し、受信した画像データから画像形成部１３で画像を形成することができる。このようにして、デジタル複合機１は印刷装置（プリンタ）として機能する。
【００３５】
通信ネットワークＮ１は、更にインターネット網等の広域通信ネットワークＮ２に接続されている。通信部１５は、電子メールに画像データを添付して送信するなどの方法により、広域通信ネットワークＮ２に接続されたインターネットファクシミリ装置２や外部ＰＣ３との間で、通信ネットワークＮ１及び広域通信ネットワークＮ２を介して画像データを受信することができる。このようにして、デジタル複合機１はインターネットファクシミリ装置や電子メール送信装置として機能する。
【００３６】
また、機器制御部１４には、使用者からの送信先指定を含む操作を受け付ける操作部１２が接続されている。操作部１２は、使用者の操作により制御命令などの情報が入力されるタッチパネル又はテンキー等の入力部１２ａと、操作のために必要な情報を表示する液晶パネル等の表示部１２ｂとからなっている。操作部１２は、電子メール生成時にその文章も入力できるように構成することが好ましい。操作部１２には、このデジタル複合機１の管理者や利用者（すなわち操作者）を認証するための認証コードが入力される。また、認証コードは、通信部１５等を介して外部機器から入力する場合もある。
【００３７】
上述のごとき構成のデジタル複合機１に組み込まれる本発明の主たる特徴部分について、以下に説明する。図２は、ページ単位のデータ送信処理及びファイル単位のデータ送信処理を説明するための模式図である。
【００３８】
デジタル複合機１は、上述のデータ送信時に指定された送信先情報を保持する保持手段と、その送信先情報に基づく上述のデータの送信が完了した後も、保持手段でその送信先情報を保持させておき、引き続き同じ送信先に対して別のデータの送信が可能な状態で待機するよう制御する制御手段とを備える。デジタル複合機１において、この保持手段は、管理部１７や機器制御部１４内のメモリで構成でき、またこの制御手段は、機器制御部１４内の制御プログラムの１つとして実行可能に組み込むことができる。
【００３９】
このように、本発明では、指定された送信先情報に基づくデータ送信完了後も、その送信先情報を保持しておき、その送信先情報を送信先として設定した状態で待機させておくことで、引き続きその送信先に対する別データの送信を可能とする。
【００４０】
しかしながら、このような処理は、一度指示した送信先に対して連続して異なるデータを送信する場合に便利であるが、送信先情報を維持することが不便な場合もある。まず、送信先を維持しておきたい場合と、維持させたくない場合とをシーン別に考察する。
【００４１】
（シーン１）
従来のファクシミリ装置におけるファックス送信では、ユーザが送信先を指示（設定）して原稿をセットしスタートキーを押下すると、送信原稿を読み取って得られた原稿画像を、図２（Ａ）のようにページ単位で（１からＮ枚まで順次）送信している。このとき、同じ送信先に対して送信したい別の送信原稿があれば、通信費節約、送信指示設定簡略化のため、その送信原稿を追加セットして先行している送信原稿に引き続いて送信先を維持しておき送信させることが望ましい。しかしながら、このようなシーンは、最初に送信したい原稿と、次に送信したい原稿とをまとめて読み込ませれば済むことになり、その点を考慮するとあまり起こり得ないシーンとなる。従って、同じ送信先に送信可能なように維持しておくと、誤送信を招くこととなる。
【００４２】
（シーン２）
シーン１と同様にページ単位で或る送信先に原稿を送信した後、別の送信先に別の原稿を送信したい場合には、送信先の維持は不要であり、利用者が気づかない場合に誤送信を招くこととなる。
【００４３】
（シーン３）
最近のインターネットファクシミリ装置やスキャナ送信装置におけるデータ送信では、送信先を指示（設定）して原稿をセットしスタートキーを押下すると、送信原稿を読み取って得られた原稿画像を、図２（Ｂ）のようにファイル単位で（Ｎ枚の原稿を１つのデータとして）送信している。ファイル単位のデータとしてはＰＤＦなどが用いられるが、他のファイルでもよい。このとき、同じ送信先に対して送信したい別の送信原稿があれば、送信処理簡略化のため、先行する送信原稿の送信処理が完了した段階で送信先を維持しておき次の送信原稿を送信させることが望ましい。同じ送信先に一度に全ての原稿を読み取ってファイル送信した場合、受信側のＰＣ等での利用形態とは異なる場合があり、そのような場合、文書ファイル毎に複数の文書ファイルを送信処理することが有益となる。
【００４４】
（シーン４）
シーン３と同様にファイル単位で或る送信先にデータを送信した後、別の送信先にファイルを送信したい場合には、送信先の維持は不要であり、利用者が気づかない場合に誤送信を招くこととなる。
【００４５】
上述のシーン１−４を鑑みると、送信後も送信先情報を引き続き利用するシーンとしては、シーン３に相当するものだけであり、送信するデータの形式は、ファイル形式であって、ファイル単位で受信した画像データ等のデータを取り扱う目的で送信するものとなる。シーン３としては、例えば（I）ネットワークを経由して画像データやデータファイルを送信する場合、（II）インターネットファックスで送信原稿を１つのファイルとして送信する場合、（III）ネットワークを介してファイル送信する場合、などがこれに該当する。また、送信先情報としては、ＩＰアドレスや電子メールアドレスなどが該当することとなる。なお、シーン４もシーン３と同様のデータ形式での送信となるが、シーン４との区別については後述する。
【００４６】
一方、送信後も送信先情報を引き続き利用せず、新たな送信先に対して送信するシーンとしては、シーン１，２に相当するものだけであり、送信するデータの形式は、ファイル形式ではなく、ページ単位で受信した画像データ等のデータを取り扱う目的で送信するものとなる。シーン１，２としては、例えば電話回線網を用いて画像データを送信する場合などが該当することとなる。また、送信先情報としては、ＦＡＸ番号が該当することとなる。なお、シーン４もシーン１，２と同様に送信先情報を引き続き利用しないが、シーン４との区別については後述する。
【００４７】
従って、本発明の主たる特徴として、上述の制御手段は、指定された送信先情報が示す送信先にネットワーク経由でデータを送信した後に、その送信先情報に基づく上述のデータの送信の内容に基づいて、保持手段による送信先情報の保持を許可もしくは禁止（制限）する制御を行うとよい。すなわち、本発明では、送信先に対する送信の内容（送信先情報など）に応じて、送信完了後も送信先を保持するか否かを決定する。ここではデジタル複合機１で例示しているが、本発明に係るデータ送信装置は、上述のごとき保持手段及び制御手段を備えた装置として構成できる。
【００４８】
図３は、図１のデジタル複合機におけるデータ送信処理の一例を説明するためのフロー図である。また、図４乃至図８は、図３のデータ送信処理に伴う一連の操作画面（タッチパネル上の操作画面）の一例を示す図である。
【００４９】
まず、原稿台又はＡＤＦに原稿がセットされたことを原稿検知センサ１１ｂが検知すると（ステップＳ１）、利用者からの送信先の設定入力を入力部１２ａから受け付ける（ステップＳ２）。なお、ステップＳ１，Ｓ２の順序は問わない。また、ステップＳ２では、直接入力に限ったものではなく、管理部１７などに登録・管理されたアドレス帳を呼び出して送信先を利用者に選択させることもできる。
【００５０】
以下、アドレス帳を呼び出して送信先を選択させる例で本発明の処理を説明する。ステップＳ２の処理では、まず、機器制御部１４が、図４の操作画面２１のように送信を行う初期画面を表示部１２ｂに表示させる。操作画面２１のうち、ローカルアドレス帳ボタン２２を利用者が押下した情報が機器制御部１４に伝達されると、管理部１７がそのアドレス帳を呼び出して、図５の操作画面２３のように各送信先を一覧表示する。操作画面２３では、送信可能である旨の文章２４と共に、「Ａ社  インターネットＦＡＸ」２５ａ、「Ｂ社  ＦＡＸ」２５ｂ、「Ｃ社  インターネットＦＡＸ」２５ｃ、「Ｅ社  ＰＣ」２５ｄ、「Ａ社  ＦＡＸ」２５ｅなどのように、送信先の名称とその送信方法が共に表示されている。利用者は、この中から送信先を選択することとなる。
【００５１】
例えば、利用者が「Ａ社  インターネットＦＡＸ」２５ａを選択したとすると、図６の操作画面のように「Ａ社  インターネットＦＡＸ」２５ａが反転し、その宛先のアドレス「ａａａａ＠ａａａ．ｃｏ．ｊｐ」２７が表示されると共に、それが次の宛先である旨の文章２８がなされる。
【００５２】
続いて、原稿がセットされていない場合には、図７の設定画面３１で示すように、「原稿をセットしてスタートキーを押してください」といった原稿セット及びスタートキー押下を促す表示３４が表示部１２ｂでなされる。ステップＳ１で原稿がセットされている場合には、スタートキー押下を促す表示だけでよい。ここでも、引き続き、今の宛先のアドレス「ａａａａ＠ａａａ．ｃｏ．ｊｐ」３２（２７）が表示されると共に、それが次の宛先である旨の文章３３（２８）がなされたままとなる。
【００５３】
また、ここでは、ローカルアドレス帳ボタン３５を利用者が選択することで、送信先の追加が可能となっている。例えば、再度図６のごとき設定画面を表示して「Ｃ社  インターネットＦＡＸ」２５ｃが選択された場合、最終的に図７のごとき設定画面において、追加したアドレスを「ａａａａ＠ａａａ．ｃｏ．ｊｐ」２７の代わりに「ａａａａ＠ａａａ．ｃｏ．ｊｐ；ｃｃｃｃ＠ｃｃｃ．ｃｏ．ｊｐ」などと表示させ、（原稿セット及び）スタートキー押下を促す表示３４を表示させるとよい。
【００５４】
このような状態で、機器制御部１４は、スタートキーの押下（ＯＮ）が入力部１２ｂでなされたか否かを判定し（ステップＳ３）、押下された場合にＣＣＤ１１ａに指示して送信対象原稿の読み込みを開始させる（ステップＳ４）。続いて、機器制御部１４は、原稿の読み取りが完了したか否かを判定し（ステップＳ５）、完了した時点で、読み取った画像データの送信処理を開始する（ステップＳ６）。ステップＳ６では、インターネットＦＡＸが選択されている場合にはインターネットファクシミリ送信を行えばよく、他の送信形態の送信先が選択されている場合にはそれに対応した送信を行えばよい。そして、機器制御部１４は、送信処理が完了したか否かを判定する（ステップＳ７）。
【００５５】
ステップＳ１〜Ｓ７の処理は、原稿を光学的に読み取って送信する処理を例に挙げて説明したが、ＨＤ１６内に予め格納されたデータを送信する処理や、入力部１２ａからの入力により電子メールを生成して送信する処理なども、ステップＳ１，Ｓ４，Ｓ５を対応する処理に置き換えるだけで同様に実行できる。
【００５６】
ステップＳ７で送信処理が完了した場合には、機器制御部１４は、管理部１７にアクセスするなどしながら、送信先の確認を行う（ステップＳ８）。ステップＳ８では、前（最初）の送信の送信先情報（上述の例では「Ａ社のインターネットＦＡＸ」２５ａ、或いはそれに相当するアドレス「ａａａａ＠ａａａ．ｃｏ．ｊｐ」）に基づき、前（最初）のデータの送信の内容が確認される。
【００５７】
続いて、機器制御部１４は、この確認結果に基づいて、管理部１７や機器制御部１４内のメモリ等に保持された送信先情報の保持を許可もしくは禁止（制限）するかの判定を行い（ステップＳ９）、その判定に則った制御を行う（ステップＳ１０／Ｓ１１）。なお、ステップＳ９の判定は、ここで説明したように前のデータの送信完了後に実行すればよいが、前のデータの送信前に実行してもよい。
【００５８】
保持する場合には、機器制御部１４は、図８の設定画面３６で示すように最初に送信したアドレス「ａａａａ＠ａａａ．ｃｏ．ｊｐ」３７を表示部１２ｂに表示したまま、且つそれが次の宛先である旨の文章３８を表示部１２ｂに表示したまま保持され、次のデータの受け付けまで待機することとなる（ステップＳ１０）。上述のアドレス３７及び文章３８は、保持手段により送信先情報が保持されていることを、別のデータを送信しようとしている利用者に通知する通知手段の一例であり、他の通知手段としては音声ガイダンスを流すよう構成してもよい。また、図８の設定画面３６で示すように「原稿が送信されました。現在Ａ社のインターネットＦＡＸが宛先としてホールドされております」といった文章３９も併せて表示するようにするとよい。この文章３９も通知手段による通知の１つに相当する。
【００５９】
この例では、「Ａ社のインターネットＦＡＸ」２５ａが最初の送信先であり、これは、上述のシーン３に相当するので、ステップＳ１０の処理がなされることとなる。このような保持により、利用者は、送信対象のデータを選択又は入力（読み込み等）するだけで、送信先を呼び出す必要もなく、データ送信が可能となる。
【００６０】
一方、例えば「Ａ社  ＦＡＸ」２５ｅが最初の送信先として選択されていた場合には、禁止されることとなる。この場合には、機器制御部１４は送信先を保持せず次のデータ及び送信先の入力を待てばよい（ステップＳ１１）。例えば、図５の設定画面２３のように、アドレスを保持していない画面を表示部１２ｂに表示させるとよい。これにより、シーン１，２のように、別の（次の）データを同じ送信先にファクシミリ送信するといった誤送信を防ぐことが可能となる。
【００６１】
このように、本発明によれば、データの誤送信を防ぎながら、前の送信先と同じ送信先に別のデータを送信するに際しては送信先の指定又は入力操作の手間を省くことが可能となる。
【００６２】
また、ステップＳ９での判定（上述のごときシーンの判断）は、データの送信の内容としてデータ形式を採用し、データ形式に基づき実行してもよい。すなわち、機器制御部１４の制御プログラムは、シーン１〜４について説明したように、データ形式に基づく判定を行うようにしてもよい。ここでのデータ形式とは、デジタル複合機１で採用されたファクシミリデータであるのか、或いは同じく採用されたそれ以外のデータであるのかが判定できるものであればよい。
【００６３】
また、ステップＳ９での判定は、他の基準、すなわち前の（最初の）送信データがページ単位のデータであるのか、或いはファイル単位のデータであるのかに基づき実行してもよい。すなわち、機器制御部１４の制御プログラムは、シーン１〜４について説明したように、最初の送信データがページ単位／ファイル単位のいずれであるかに基づく判定を行うようにしてもよい。なお、ページ単位／ファイル単位の違いは上述のデータ形式の違いとして判定に利用してもよい。
【００６４】
特に、ページ単位のデータであった場合、前の送信先情報の保持を禁止するような判断を行うとよい。すなわち、制御プログラムは、送信する或いは送信したデータがページ単位になっていることを条件に、送信先情報の保持を禁止するよう制御するとよい。なお、デジタル複合機１で例示するページ単位及びファイル単位の双方の送信が可能な装置に限らず、いずれかの送信のみが可能なデータ送信装置であっても、このような判断を経るため、このような保持禁止処理は実行できる。
【００６５】
また、ステップＳ９での判定を行うために、データの送信の内容として他の基準を採用することができる。この他の基準は、最初の送信対象のデータの伝送経路であり、制御プログラムが、最初の送信対象のデータの伝送経路に基づいて送信先情報の保持を禁止するよう制御するとよい。
【００６６】
例えば、電話回線網Ｎ３が伝送経路であった場合（或いはＦＡＸモデム１８を使用する場合）に保持を禁止し、通信ネットワークＮ２（及びそれを介したインターネット網Ｎ２）が伝送経路であった場合（或いは通信部１５を使用する場合）に保持を許可するといった制御を行えばよい。上述の２系統の伝送経路は、前者がページ単位でデータ送信する伝送経路に相当し、後者が複数ページを１ファイルとしてデータ送信する（送信するデータをひとつのファイルとして送信する）伝送経路に相当する。従って、換言すると、制御プログラムは、ページ単位でデータ送信する伝送経路を用いることを条件に、送信先情報の保持を禁止するよう制御するとよい。より具体的には、ＦＡＸモデム１８がＯＮになったときには保持を禁止し、それ以外では保持を許可するなどの制御を行ってもよい。なお、この基準は、デジタル複合機１のようにデータ送信形態がそれぞれ異なる複数の伝送経路（送信経路）でデータ送信（データ伝送）可能な場合に利用することが可能である。
【００６７】
また、ステップＳ９での判定は、データの送信の内容としてさらに別の基準、すなわち送信先情報がどのようなものであるかに基づき実行することもできる。この場合、機器制御部１４の制御プログラムは、データを送信する送信先情報に基づいて、送信先情報の保持を禁止するよう制御すればよい。
【００６８】
ここで基準として採用される送信先情報としては、送信先の種類（ＦＡＸであるのか、それ以外であるのか、或いは社外へのＦＡＸであるのか否かなど）や、番号やアドレス自体を確認してもよい。シーン１〜４で説明したように、単純に、送信先情報がＦＡＸ番号であった場合に保持せず、メールアドレスやＩＰアドレスであった場合に保持するといった制御でもよい。また、送信先の種類は、送信先情報が示す送信エリアとも言える。例えば、アドレスのドメインやＦＡＸ番号の先頭数桁を確認して、社内に送った後には保持を許可するが、社外に送った後には保持を禁止するなどの応用も可能である。
【００６９】
上述したようなステップＳ９の様々な例では、シーン３のような場合だけでなくシーン４のような場合でも送信先が保持されたままとなる。従って、シーン４では送信先が保持された後も解除可能なように、制御プログラムが制御することが好ましい。
【００７０】
そのため、ステップＳ１０の処理（保持する場合の処理）時に、機器制御部１４は、図８の設定画面３６で示すように「原稿が送信されました。現在Ａ社のインターネットＦＡＸが宛先としてホールドされております」といった文章３９と共に、その宛先をキャンセルするための宛先キャンセルボタン４１を表示しておくとよい。利用者は、宛先キャンセルボタン４１を押下することで、図５の設定画面２３に戻ることが可能となる。
【００７１】
また、上述の文章３９及び宛先キャンセルボタン４１の表示は、保持手段により送信先情報が保持されている場合、保持されている送信先情報が示す送信先を別のデータに対しても用いるか否かの確認を利用者に求める確認手段の一例として実行される。そして、このような確認手段によりその送信先を用いるとの確認がとれた場合のみ、新たな送信先の追加を受け付けるようにするとよい。図８の設定画面３６の例では、ローカルアドレス帳ボタン４０によりアドレス帳が選択可能なよう表示させておき、宛先キャンセルボタン４１の押下がなく且つローカルアドレス帳ボタン４０の押下があったときは、確認がとれたものとして保持された送信先に加え別の送信先の追加も可能にする。
【００７２】
以上、図１乃至図８を参照しながら、本発明のデータ送信装置を中心に各実施形態を説明してきたが、本発明は、機器制御部１４内の制御プログラムとして例示したように、プログラムとしての形態も採り得る。このプログラムは、データ送信装置の制御部（制御部のＲＯＭ等の記憶部）に組み込み上述の様々な実施形態の処理手順をその制御部（制御部の演算処理装置）に実行させるためのものであり、換言すると上述の制御手段としてその制御部を機能させるためのものである。ここで、データ送信装置の制御部とは、データ送信装置の内部コンピュータに相当する部位である。そして、このようなプログラムは、それを記録したコンピュータ読み取り可能な記録媒体としての配布することやネットワーク経由で配信することができる。
【００７３】
本発明による機能を実現するためのプログラムやデータを記憶した記録媒体について簡単に説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述したプログラムを、これら記録媒体に記録して流通させることにより、当機能の実現を容易にする。そして、汎用コンピュータに、上述のごとくの記録媒体を装着してプログラムを読み出して、図１のデジタル複合機１における機器制御部１４等に当プログラムを転送して記憶させておき、必要に応じて読み出すことにより、本発明に係わる機能を実現する。また、汎用コンピュータ上で実行する場合には、この汎用コンピュータに、上述のごとくの記録媒体を装着してプログラムを読み出すか、若しくはこのコンピュータのＲＯＭ等に当プログラムを記憶させておき、必要に応じて読み出すことにより、本発明に係わる機能を実現することができる。
【図面の簡単な説明】
【００７４】
【図１】本発明を適用したデジタル複合機の構成例を説明するためのブロック図である。
【図２】ページ単位のデータ送信処理及びファイル単位のデータ送信処理を説明するための模式図である。
【図３】図１のデジタル複合機におけるデータ送信処理の一例を説明するためのフロー図である。
【図４】図３のデータ送信処理に伴う操作画面の一例を示す図である。
【図５】図４の操作画面に続く操作画面の一例を示す図である。
【図６】図５の操作画面に続く操作画面の一例を示す図である。
【図７】図６の操作画面に続く操作画面の一例を示す図である。
【図８】図７の操作画面に続く操作画面の一例を示す図である。
【符号の説明】
【００７５】
１…デジタル複合機、２…インターネットファクシミリ装置、３…外部ＰＣ、４…ファクシミリ装置、５…ＰＣ、１１…画像読取部、１１ａ…ＣＣＤ、１１ｂ…原稿検知センサ、１２…操作部、１２ａ…入力部、１２ｂ…表示部、１３…画像形成部、１３ａ…メモリ、１３ｂ…印字部（ＬＳＵ）、１３ｃ，１３ｄ…トレイ、１４…機器制御部、１５…通信部、１６…ハードディスクドライブ（ＨＤ）、１７…管理部、１８…ＦＡＸモデム、１９…消去部、Ｎ１…通信ネットワーク（ＬＡＮ）、Ｎ２…インターネット網（広域通信ネットワーク）、Ｎ３…電話回線網。
【図１】
2008131259.tif 000003
【図２】
2008131259.tif 000004
【図３】
2008131259.tif 000005
【図４】
2008131259.tif 000006
【図５】
2008131259.tif 000007
【図６】
2008131259.tif 000008
【図７】
2008131259.tif 000009
【図８】
2008131259.tif 000010